(57)【特許請求の範囲】
【請求項１】
巻き線の芯となる複数のフィンを放射状に設けたモータのアーマーチェアに対して、前記フィンに対応して放射状に設けられた複数のフィンカバーを備えた樹脂製のインシュレータを被せるために用いられるインシュレータ取付装置において、
前記インシュレータをアーマーチェアへ押し付けて、各フィンカバーを対応するフィンへ被せるための押圧部材を備えるとともに、
この押圧部材を、フィンカバーの径方向内側端部を位置決めする内側押圧部と、フィンカバーの外周部を位置決めする外側押圧部とで構成し、
これら内側押圧部と外側押圧部を同軸で内外に組合せ、それぞれを別個に押圧自在にしたことを特徴とするインシュレータ取付装置。
【請求項２】
前記内側押圧部を押すことにより、前記インシュレータの径方向内側にて前記隣り合うフィンカバー部間を連結する立て壁部を、前記隣り合うフィン間に形成されるコア溝内へ押し込むことにより、インシュレータの径方向内側を位置決めすることを特徴とする請求項１に記載したインシュレータ取付装置。
【発明の詳細な説明】
【０００１】
【発明の属する技術分野】
この発明は、モータのアーマーチェアに絶縁用のインシュレータを被せるとき使用されるインシュレータ取付装置に関する。
【０００２】
【従来の技術】
図２に示すように、モータ１の回転子は、シャフト２とその周囲に設けられたアーマーチェア３及びこのアーマーチェア３上に被せられるインシュレータ８とを備える。アーマーチェア３はシャフト２の径方向にて円形をなし、その外周側には図３に示すように、放射線状に複数のフィン６が形成されている。各フィン６はインシュレータ８の一部に形成されたフィンカバー１３で覆われ、さらにその周囲にコイル９を巻回されている。
【０００３】
このインシュレータ８をアーマーチェア３へ被せるには、インシュレータ８をアーマーチェア３の上に乗せて、各フィンカバー１３をアーマーチェア３のフィン６と位置を合わせし、さらに各フィンカバー１３の外周側をエアシリンダの伸縮ロッド先端で押さえて位置決めしつつ、上方から押圧部材で押し付けることにより被せるようになっている。これに類似するものとして特開平１１−４１８７７号がある。
【０００４】
【発明が解決しようとする課題】
ところで、上記のようなインシュレータの取付装置では、各フィンカバー毎にエアシリンダをインシュレータの回りへ配置しなければならないため、多数のエアシリンダを必要とし、装置が大型かつ複雑構造になり、製造コストも高くなる。しかも位置決めに比較的手間がかかり、かつフィンの数が変化すると、それまでの装置ではエアシリンダの配置が異なって対応できないので、新たに作り直す必要があったので、フィンの数が変化しても共通使用できるように汎用性が求められていた。そこで本願発明は、比較的簡単な構造でコンパクトかつ安価であり、フィンの数が変化しても汎用的に使用できるインシュレータ取付装置の提供を目的とする。
【０００５】
【課題を解決するための手段】
上記課題を解決するため本願発明に係るインシュレータ取付装置は、巻き線の芯となる複数のフィンを放射状に設けたモータのアーマーチェアに対して、前記フィンに対応して放射状に設けられた複数のフィンカバーを備えた樹脂製のインシュレータを被せるために用いられるインシュレータ取付装置において、
前記インシュレータをアーマーチェアへ押し付けて、各フィンカバーを対応するフィンへ被せるための押圧部材を備えるとともに、この押圧部材を、フィンカバーの径方向内側端部を位置決めする内側押圧部と、フィンカバーの外周部を位置決めする外側押圧部とで構成し、これら内側押圧部と外側押圧部を同軸で内外に組合せ、それぞれを別個に押圧自在にしたことを特徴とする。
【０００６】
【発明の効果】
インシュレータ取付装置を構成する押圧部材を、互いに独立して動く内側押圧部と外押圧側部で構成したので、これらを予めフィンカバーをアーマチュアのフィンと一致させてあるインシュレータの上へ置き、まず内側押圧部のみを押してインシュレータの中心部をアーマーチェアへ押し付けて、フィンカバーの径方向内側を位置決めし、続いて外押圧側部をフィンカバーの外周部へ押しつけると、先に径方向内側が位置決めされているので、外周部も簡単にアーマーチェアのフィン外周部に対して位置決めされる。そこで内側押圧部と外押圧側部で同時にインシュレータを押すと、フィンカバー全体がアーマチュアのフィンに被さり、インシュレータをアーマーチェアへ取付けできる。
【０００７】
したがって、従来のようにフィンカバー毎にエアシリンダを必要としないので、構造が比較的簡単でコンパクトかつ製造コストが安価になり、位置決めが容易になる。しかもフィンの数が変化しても共通使用できるので、汎用性が増す。
【０００８】
【発明の実施の形態】
以下、図面に基づいて一実施例を説明する。図１は本実施例装置の全断面図、図２は本実施例に関係するモータの軸方向断面図、図３は図２の３−３線相当部の部分断面図、図４はインシュレータを軸方向一方側から示す図、図５は図４と反対側からインシュレータを示す図、図６は図４の６−６線断面図、図７はインシュレータとアーマーチェアをの各一部示す斜視図、図８はフィンカバーのコア溝に対する嵌合の説明図、図９はインシュレータ取付工程を説明する図である。
【０００９】
まず、図２において、モータ１の回転子はシャフト２の周囲に強磁性体金属板を多数枚積層したアーマーチェア３が一体化される。図３に示すように、アーマーチェア３にはシャフト穴４の周囲にハブ部５を有し、このハブ部５から放射状に延びる。複数のフィン６が設けられ、各フィン６の外周端は周方向へ広がる張り出し部７が形成されている。各フィン６の周囲には図中の拡大部に示すように、インシュレータ８が被せられ、その上からコイル９が巻回されている。
【００１０】
インシュレータ８は、図２に示すように、アーマチュア３におけるシャフト２の軸方向両端面を覆うよう一対で設けられている。図４〜６に示すように、各一方のインシュレータ８は軸方向から見て略円形をなすよう全体が絶縁性の適宜樹脂で構成され、アーマーチェア３のハブ部５に重なる部分である端面壁１０を有する。端面壁１０はシャフト２の中心軸Ｃに対して径方向へ広がり、その中心部にはシャフト穴１１が設けられ、このシャフト穴１１を囲んでシャフト２の軸方向一方側へ突出するボス１２が一体に形成されている。
【００１１】
端面壁１０の外周部には放射状に径方向外方へ延出する複数のフィンカバー１３が一体に形成されている。フィンカバー１３は、図４のＡ及び図５のＢに示すように、天井壁１４、左右の側壁１５を有する断面略Ｕ字状をなし、これらの璧部に囲まれた空間１６は、図６における図示状態を基準にしたとき、下方側が開放され、この中にフィン６が嵌合できるようになっている。天井壁１４は端面壁１０の延長上に連続して形成されている。
【００１２】
また、図４のＢ部及び図５のＡ部に示すように、  フィンカバー１３の先端部は、アーマーチェア３の張り出し部７に対応する各側壁１５の先端側が外開き状に曲がった張り出し部１７をなし、各張り出し部１７はフィン６の張り出し部７の表面に重なるとともに、対向する張り出し部１７の間は空間１６に連続するスリットになっている。
【００１３】
なお、図４はインシュレータ８をシャフト２の軸方向Ｃに沿ってその一方側（図２において左側）から示す図であり、図中のＡ部はフィンカバー１３のＡ−Ａ線断面を示し、Ｂはフィンカバー１３の矢示方向端面形状を示す。また、図５は図４と反対側からインシュレータ８を示す図であり、Ａ部はフィンカバー１３の外周側を拡大して示し、ＢはＢ−Ｂ線断面を示す。
【００１４】
インシュレータ８の径方向内側における隣り合うフィンカバー１３の端部は立て壁部１８で連結されている。立て壁部１８は端面壁１０の外周部にシャフト２の軸方向と平行にボス１２と反対側へ延出し、図４及び５に明らかなように湾曲状をなし、図７に示すように、コア溝端部１９の表面側へ重なるようになっている。コア溝端部１９は隣り合うフィン６の間に形成されるコア溝１９ａのうち、アーマチュア３の径方向における端部であり、立て壁部１８と同様に湾曲して隣り合うフィン６へ連続している。
【００１５】
このインシュレータ８は、フィンカバー１３をアーマーチェアのフィン６へ被せ、空間１６内へフィン６を嵌合することにより、隣り合うフィン６間を絶縁するようになっている。またインシュレータ８は一対で用意され、アーマーチェア３の軸方向両側から被せられる。
【００１６】
図１は、このインシュレータ８をアーマーチェア３へ被せるためのインシュレータ取付装置２０を示し、このインシュレータ取付装置２０は、インシュレータ８の端面壁１０及びフィンカバー１３の天井壁１４を押す内側押圧部２１と、インシュレータ８の外周側を押す外押圧側部２２とを独立動作可能に備え、さらにアーマチュア３を乗せる支持台２３及びその中心からシャフト穴４を貫通して図の上方へ突出するガイドシャフト２４を備えている。
【００１７】
内側押圧部２１は中心部にガイドシャフト２４及びインシュレータ８のボス１２を嵌合する中空軸２５を備え、その上端部にはハンドル２６が取付けられている。また下端部にはボス１２を嵌合する大径凹部２７が設けられている。さらにこの大径凹部２７が設けられている部分の外周部には軸直交方向へほぼインシュレータ８の半径と同程度の半径で広がる円形フランジ２８が一体に形成されてい。
【００１８】
中空軸２５の下端は円形フランジ２８よりも寸法ｄだけ下方へ突出する中央側押圧用突起２９をなす。この中央側押圧用突起２９は立て壁部１８及びコア溝端部１９よりも径方向内側に位置し、内側押圧部２１をインシュレータ８を押圧するとき、中央側押圧用突起２９が円形フランジ２８より先に端面壁１０におけるボス部１２の近傍部へ当接するようになっている。
【００１９】
一方、外押圧側部２２は、中空軸２５の外周へ重なるボス３０と、インシュレータ８全体を覆うことのできる大径部３１を有し、その外周壁３２の内径はインシュレータ８及びアーマーチェア３の各外径より若干大きめになっている。外周壁３２の高さである軸方向幅はフィンカバー１３の高さ（側壁１５の軸方向寸法）と略等しい。
【００２０】
次に、この装置を用いたインシュレータの取付工程を説明する。図１はアーマーチェア３上へインシュレータ８を乗せ、さらにその上へインシュレータ取付装置２０を置いただけの状態であって、中空軸２５の大径凹部２７にボス１２が嵌合している。この状態で、ハンドル２６を持って内側押圧部２１を押し下げると、  図９のＡに示す状態になる。
【００２１】
この状態では、端面壁部１０のうちボス１２の近傍部分のみを中央側押圧用突起２９が押すので、立て壁部１８の下部のみがコア溝１９ａ内へ押し込まれる。図８はこれを説明するものであり、立て壁部１８の円弧幅Ｗ１とこれが嵌合するコア溝端部１９の円弧幅もＷ１であって等しいが、コア溝１９ａは径方向外方へ向かって次第に溝幅が拡大している。
【００２２】
そこで、図９のＡに示すように立て壁部１８側のみを押し下げると、フィンカバー１３が傾き、立て壁部１８の下端部は径方向外方へ押し出され、コア溝端部１９より外方位置でコア溝１９ａへる嵌合する。このため、図８に示すように、円弧幅Ｗ１なるコア溝端部１９よりも外方のより広い溝幅Ｗ２（Ｗ１＜Ｗ２）なる部分へ押し込まれる。
【００２３】
このとき、立て壁部１８の下部が押し込まれるコア溝１９ａの溝幅Ｗ２は、立て壁部１８の円弧幅Ｗ１よりも広いので、立て壁部１８の下部は容易にコア溝１９ａ内へ嵌合し、フィン６のうち径方向内側端部であるコア溝端部１９近傍部分がフィンカバー１３の空間１６内へ嵌合する。同時に側壁１５の下部のうち張り出し部１７近傍の外周部分はフィン６の張り出し部７よりも径方向外方へ突出する。
【００２４】
そこで、図９のＢに示すように、外押圧側部２２を押し下げると、張り出し部７より突出していた側壁１５の下部が押し下げられる。このとき側壁１５は張り出し部７との干渉により、図８に示すようにコア溝１９ａの内方へ向かって変形されるので、容易にコア溝１９ａ内へ嵌合して外周部が位置決めされ、張り出し部１７がフィン６の張り出し部７の表面へ重なる。
【００２５】
続いて、図９のＣに示すように、内側押圧部２１と外押圧側部２２を同時に押し下げると、フィンカバー１３の側壁部１５は全体がコア溝１９ａ内へ嵌合し、同時に張り出し部１７及び立て壁部１８もそれぞれ全体が張り出し部７及びコア溝端部１９の表面へ重なり、その結果フィン６がフィンカバー１３の空間１６内へ嵌合する取付状態となる。
【００２６】
したがって、従来のようにフィンカバー１３毎にエアシリンダを必要としないので、構造が比較的簡単でコンパクトかつ製造コストが安価になり、位置決めが容易になる。しかもフィンの数が変化しても共通使用できるので、汎用性が増す。
【００２７】
特に、内側押圧部２１によって最初に立て壁部１８をコア溝１９ａ内へ押し込んで位置決めするようにしたので、その後の外押圧側部２２によるフィンカバー１３の外周部に対する位置決めを単一の外押圧側部２２で行うことができるようになった。
【図面の簡単な説明】
【図１】実施例の全断面図
【図２】実施例に関係するモータの断面図
【図３】図２の３−３線断面図
【図４】インシュレータを軸方向一方側から示す図
【図５】インシュレータを図４と反対側から示す図
【図６】図４の６−６線断面図
【図７】インシュレータとアーマチュアの各一部を示す斜視図
【図８】フィンカバーをコア溝へ嵌合する状態を説明する図
【図９】インシュレータの取付工程を示す図
【符号の説明】
１：モータ、２：シャフト、３：アーマーチェア、６：フィン、７：張り出し部、８：インシュレータ、１２：ビス、１３：フィンカバー、１４：天井部、１５：側壁、１６：空間、１７：張り出し部、１８：立て壁部、１９：コア溝端部、１９ａ：コア溝、２０：インシュレータ取付装置、２１：内側押圧部、２２：外押圧側部
【図１】
0004605941.tif 000002
【図２】
0004605941.tif 000003
【図３】
0004605941.tif 000004
【図４】
0004605941.tif 000005
【図５】
0004605941.tif 000006
【図６】
0004605941.tif 000007
【図７】
0004605941.tif 000008
【図８】
0004605941.tif 000009
【図９】
0004605941.tif 000010